(57)【特許請求の範囲】
【請求項１】
ＡＣ電源ユニットまたは容量が異なり外形寸法が異なる複数の電池パックを収納可能なユニット収納部に、前記ＡＣ電源ユニットまたは前記複数の電池パックを載置する底部と、前記ＡＣ電源ユニットまたは前記複数の電池パックのうちの大容量の電池パックの水平方向の移動を規制し互いに対向する一対の側壁と、前記ＡＣ電源ユニットをねじによって取り付けるためのボスとを設け、前記底部と対向する側を開口させた電子機器における電池収納構造において、
前記底部に前記側壁間に設けられ当該側壁と平行で底部から破断可能な一対の仕切壁を立設し、
前記両側壁間の間隔は、前記ＡＣ電源ユニットの幅および前記大容量の電池パックの幅よりもわずかに大きく形成され、前記両仕切壁間の間隔は、小容量の電池パックの幅よりもわずかに大きく形成され、前記一方の仕切壁と前記一方の側壁間の間隔は、中容量の電池パックの幅よりもわずかに大きく形成され、
前記ボスにねじによって取り付けることにより、前記ユニット収納部に収納した前記複数の電池パックの前記開口側からの抜けを規制する抜け規制部材を備えたことを特徴とする電子機器における電池収納構造。
【請求項２】
請求項１記載の電子機器における電池収納構造において、前記仕切壁の基端部の周囲に溝を設けたことを特徴とする電子機器における電池収納構造。
【発明の詳細な説明】
【技術分野】
【０００１】
本発明は、筺体内に電池を収納する電子機器における電池収納構造に関するものである。
【背景技術】
【０００２】
従来の電子機器における電池収納構造は、上方と後方とが開口しアッパーケースに固定された第１のケースと、ロアーケースに形成された第２のケースとを備え、アッパーケースとロアーケースとを互いに開口端縁を突き合わせることにより、第１および第２のケースによって電池収納部が形成されるものがある（例えば、特許文献１参照）。また、筺体に設けた充電池を収納する収納凹部と、この収納凹部を覆う電池蓋とからなり、弾性係合片を介して電池蓋を収納凹部に取り付けたものがある（例えば、特許文献２参照）。
なお、本出願人は、本明細書に記載した先行技術文献情報で特定される先行技術文献以外には、本発明に密接に関連する先行技術文献を出願時までに見付け出すことはできなかった。
【特許文献１】特開２０００−２０８１１６号公報（段落「０００８」および「０００９」、図１および図４）
【特許文献２】特開２０００−２６０４０５号公報（段落「００１４」、図２）
【発明の開示】
【発明が解決しようとする課題】
【０００３】
上述した従来の電子機器における電池収納構造においては、いずれも電池のみを収納しＡＣ電源ユニットを収納できる構造にはなっておらず、かつ電池の収納スペースの容量が決められた構造になっている。ところが、電子機器が長期間にわたって無人管理によって屋外に設置して使用される場合には、電源として半永久的に電源供給が行えるＡＣ電源が望ましく、電子機器内にＡＣ電源ユニットを収納できることが要望されている。また、設置される場所によってＡＣ電源が使用できない場合には電源として電池を使用せざるを得なくなり、その場合には電子機器の使用期間に応じて、電子機器内に収納する電池の容量を変えたいという要求がある。このように、供給電源としてＡＣ電源ユニットと電池との両方が使用でき、かつ容量の異なる電池、すなわち外形寸法の異なる電池を収納したいという要望がある電子機器に対しては、上述した従来の電池収納構造では対応できないという問題があった。
【０００４】
本発明は上記した従来の問題に鑑みなされたものであり、その目的とするところは、供給電源としてＡＣ電源ユニットと電池との両方が使用でき、さらに各種の容量の電池を収納することができる電子機器における電池収納構造を提供することにある。
【課題を解決するための手段】
【０００５】
この目的を達成するために、請求項１に係る発明は、ＡＣ電源ユニットまたは容量が異なり外形寸法が異なる複数の電池パックを収納可能なユニット収納部に、前記ＡＣ電源ユニットまたは前記複数の電池パックを載置する底部と、前記ＡＣ電源ユニットまたは前記複数の電池パックのうちの大容量の電池パックの水平方向の移動を規制し互いに対向する一対の側壁と、前記ＡＣ電源ユニットをねじによって取り付けるためのボスとを設け、前記底部と対向する側を開口させた電子機器における電池収納構造において、前記底部に前記側壁間に設けられ当該側壁と平行で底部から破断可能な一対の仕切壁を立設し、前記両側壁間の間隔は、前記ＡＣ電源ユニットの幅および前記大容量の電池パックの幅よりもわずかに大きく形成され、前記両仕切壁間の間隔は、小容量の電池パックの幅よりもわずかに大きく形成され、前記一方の仕切壁と前記一方の側壁間の間隔は、中容量の電池パックの幅よりもわずかに大きく形成され、前記ボスにねじによって取り付けることにより、前記ユニット収納部に収納した前記複数の電池パックの前記開口側からの抜けを規制する抜け規制部材を備えたものである。
【０００６】
請求項２に係る発明は、請求項１に係る発明において、前記仕切壁の基端部の周囲に溝を設けたものである。
【発明の効果】
【０００７】
請求項１に係る発明によれば、供給電源としてＡＣ電源ユニットと電池との両方が使用でき、さらに容量の異なる電池を収納することができるから使い勝手が向上する。
請求項２に係る発明によれば、仕切壁の切断が容易になるとともに、仕切壁を切断した際に切断残りが底部の表面から突出するのを防止できるため、後加工が不要になり作業性が向上する。
【発明を実施するための最良の形態】
【０００８】
以下、本発明の実施の形態を図に基づいて説明する。図１は本発明に係る電子機器の全体を示す斜視図、図２は同じくアッパーケースを取り外した状態を示す斜視図、図３は同じくアッパーケースを取り外した状態を示す平面図、図４は図３におけるIV-IV 線断面図であって、同図（ａ）は仕切壁を破断する前の状態を示し、同図（ｂ）は仕切壁を破断した後の状態を示す。図５（ａ）は図４（ａ）における V（ａ）部の拡大図、同図（ｂ）は図４（ｂ）における V（ｂ）部の拡大図、同図（ｃ）は仕切壁を破断した後に切断残りが発生した状態を示す拡大図、図６は図３におけるVI-VI 線断面図、図７は本発明に係る電子機器にＡＣ電源ユニットを収納し、アッパーケースを取り外した状態を示す平面図、図８は小容量の電池パックを収納し、アッパーケースを取り外した状態を示す平面図、図９は中容量の電池パックを収納し、アッパーケースを取り外した状態を示す平面図、図１０は大容量の電池パックを収納し、アッパーケースを取り外した状態を示す平面図である。
【０００９】
図１において、符号１で示すものは主に屋外に設置される電子機器であって、上部および下部が開口し略枠状に形成されたロアーケース２と、このロアーケース２の上部開口２ａを覆うアッパーケース３と、ロアーケース２の下部開口を閉塞する底板４とによって概ね構成されている。ロアーケース２の後部側には箱状に形成されたカバー５が一体に設けられており、このカバー部５の両側部には一対のアンテナ６，６が回動自在に支持されている。
【００１０】
図２において、７はロアーケース２の前端壁に形成したＵ字状溝２ｂに取り付けられたグロメットであって、このグロメット７は、電源として電池を使用する場合にはＵ字状溝２ｂを閉塞し、ＡＣ電源ユニットを使用する場合には、図１に示すように電源ケーブル８を導出できるようにグロメット７の表面が破断可能な厚みに形成されている。９，９は屋外に設置された電子機器１をブラケット等に固定するための取付片であって、底板４に一体に突設されている。図４において、１１はロアーケース２と底板４との間に設けられた防水用のシールドパッキンである。
【００１１】
次に、図２ないし図６を用いて、本発明の特徴であるユニット収納部１５について説明する。
【００１２】
後述するＡＣ電源ユニット３０を収納するためのユニット収納部１５には、図３に示すように、ＡＣ電源ユニット３０を載置する底部１７ａと、ＡＣ電源ユニット３０の水平方向、すなわち矢印Ａ−Ｂ方向への移動を規制する一対の側壁１８Ａ，１８Ｂと、ＡＣ電源ユニット３０を取り付けるための締結手段としてのボス２２およびねじ３３（図７参照）が設けられている。
【００１３】
すなわち、底板４には、図６に示すように、ロアーケース２の上部開口２ａに対応するように、平面視矩形の凹嵌部１７が設けられており、この凹嵌部１７の底部１７ａに後述するＡＣ電源ユニット３０が載置される。図３に示すように、この凹嵌部１７の矢印Ａ−Ｂ方向の両端縁で矢印Ｃ方向の端部には、矢印Ａ−Ｂ方向において互いに対向する一対の側壁１８Ａ，１８Ｂが立設されており、これら両側壁１８Ａ，１８Ｂ間の間隔Ｌ１は、ＡＣ電源ユニット３０の幅ｌ１および後述する大容量の電池パック３８の幅ｌ１よりもわずかに大きく形成されている。また、凹嵌部１７の矢印Ａ方向の端縁で矢印Ｄ方向の端部には、側壁１９が立設されている。
【００１４】
また、凹嵌部１７の矢印Ｃ方向の端縁には、両側壁１８Ａ，１８Ｂ間に延在する後壁２０が立設されており、この後壁２０には、２つの切欠き２１，２１が設けられている。さらに、凹嵌部１７の矢印Ｃ方向の端縁には、ＡＣ電源ユニット３０を取り付けるために、ねじ３３とともに締結手段を構成するボス２２，２２が立設されており、これらボス２２，２２は、切欠き２１，２１に対応した位置に位置付けられ、この切欠き２１，２１の底部と略同じ高さに形成されている。また、凹嵌部１７の矢印Ｄ方向の端縁にはＡＣ電源ユニット３０をねじ３４によって取り付けるボス２３が一体に立設されている。
【００１５】
凹嵌部１７の底部１７ａには、両側壁１８Ａ，１８Ｂと平行に矢印Ｃ−Ｄ方向に延在し互いに対向する一対の仕切壁２５Ａ，２５Ｂが一体に立設されており、これら両仕切壁２５Ａ，２５Ｂ間の間隔Ｌ２は、後述する小容量の電池パック３５の幅ｌ２よりもわずかに大きく形成されている。また、左方の仕切壁２５Ａと右方の側壁１８Ｂ間の間隔Ｌ３および右方の仕切壁２５Ｂと左方の側壁１８Ａ間の間隔Ｌ３は、後述する中容量の電池パック３７の幅ｌ３よりもわずかに大きく形成されている。
【００１６】
これら仕切壁２５Ａ，２５Ｂの基端部の周囲には、図５（ａ）に示すように、断面がＶ字状に形成された溝２６が設けられている。
【００１７】
次に、図５および図７ないし図１０を用いて、このように構成された電子機器の電池収納構造において、ＡＣ電源ユニット３０と大きさの異なる容量をもった電池パック３５，３７，３８を収納する方法を説明する。
【００１８】
先ず、図７を用いて電子機器のユニット収納部１５にＡＣ電源ユニット３０を収納する方法について説明する。
【００１９】
ＡＣ電源ユニット３０の矢印Ｃ方向の端部には、同図に示すように、一対の取付片３１，３１が水平方向へ突設され、矢印Ｄ方向の端部には１つの取付片３２が水平方向へ突設されている。このように構成されたＡＣ電源ユニット３０を、ロアーケース２の上部開口２ａから一対の取付片３１，３１を後壁２０の切欠き２１，２１に遊嵌させるようにして、ユニット収納部１５の両側壁１８Ａ，１８Ｂ間に挿入して底部１７ａに載置する。次いで、一対の取付片３１，３１の孔（図示せず）に挿通させたねじ３３，３３をボス２２，２２のねじ孔に螺合させ、取付片３２の孔（図示せず）に挿通させたねじ３４をボス２３のねじ孔に螺合させることにより、ＡＣ電源ユニット３０がユニット収納部１５に取り付けられる。
【００２０】
次に、図６および図８を用いて電子機器のユニット収納部１５に小容量の電池パック３５を収納する方法を説明する。
【００２１】
図６および図８において、３６は抜け規制部材であって、抜け規制部３６ａと、この抜け規制部３６ａから直角に折り曲げ形成された鉛直部３６ｂと、この鉛直部３６ｂの両側部から直角に折り曲げ形成された二股状の水平部３６ｃとによって一連に一体に形成されている。小容量の電池パック３５は、２０本の電池が４列５行に束ねられており、この電池パック３５をロアーケース２の上部開口２ａからユニット収納部１５の一対の仕切壁２５Ａ，２５Ｂ間に挿入する。次いで、抜け規制部材３６の水平部３６ｃ，３６ｃを後壁２０の切欠き２１，２１に遊嵌させるようにして、ボス２２，２２上に載置し、水平部３６ｃ，３６ｃの孔に挿通させたねじ３３，３３をボス２２，２２のねじ孔に螺合させることにより、抜け規制部材３６をボス２２，２２に取り付ける。取り付けられた抜け規制部材３６の抜け規制部３６ａが電池パック３５の上端面に対接し、電池パック３５は上方への抜けが規制された状態でユニット収納部１５に収納される。
【００２２】
次に、図５および図９を用いて電子機器のユニット収納部１５に中容量の電池パック３７を収納する方法を説明する。
【００２３】
先ず、一方の仕切壁２５Ｂを、図５（ａ）に示すように、上部側を手で把持して傾けることにより仕切壁２５Ｂを底板４の底部１７ａから破断する。このとき、基端部２５ａの周囲に断面がＶ字状に形成された溝２６が設けられていることにより、この基端部２５ａに応力が集中するから基端部２５ａが破断されやすく、仕切壁２５Ｂの途中から破断されるようなことがなく、同図（ｂ）に示すように、破断された跡に凹部２８が形成される。
【００２４】
また、仕切壁２５Ｂを傾けたとき、二点鎖線で示すように、基端部２５ａの近傍が溝２６の頂部２７に当接するため、この頂部が支点となり、手で把持した仕切壁２５Ｂの上部側が力点となり、基端部２５ａが作用点となるてこを形成する。このため、作用点となる基端部２５ａに大きな力が加わるため、仕切壁２５Ｂの破断が容易かつ円滑に行われる。仮に、破断した跡に、同図（ｃ）に示すように、切断残り２９が形成された場合にも、この切断残り２９が溝２６内に形成されるため、切断残り２９の底部１７ａの表面からの突出を防止することができ、切断残り２９を取り除くための後加工が不要になり作業性が向上する。
【００２５】
この状態としてから、図９に示すように、３０本の電池が６列５行に束ねられた中容量の電池パック３７を、ロアーケース２の上部開口２ａからユニット収納部１５の破断しなかった左方の仕切壁２５Ａと右方の側壁１８Ｂとの間に挿入する。次いで、上述した小容量の電池パック３５と同様に、抜け規制部材３６の水平部３６ｃ，３６ｃを後壁２０の切欠き２１，２１に遊嵌させるようにして、ボス２２，２２上に載置し、水平部３６ｃ，３６ｃの孔に挿通させたねじ３３，３３をボス２２，２２のねじ孔に螺合させることにより、抜け規制部材３６をボス２２，２２に取り付ける。取り付けられた抜け規制部材３６の抜け規制部３６ａが電池パック３７の上端面に対接し、電池パック３７は上方への抜けが規制された状態でユニット収納部１５に収納される。
【００２６】
次に、図１０を用いて電子機器のユニット収納部１５に大容量の電池パック３８を収納する方法を説明する。
【００２７】
先ず、両方の仕切壁２５Ａ，２５Ｂを上述した方法で破断し、図１０に示すように、４０本の電池が８列５行に束ねられた大容量の電池パック３８を、ロアーケース２の上部開口２ａからユニット収納部１５の一対の側壁１８Ａ，１８Ｂとの間に挿入する。次いで、上述した方法と同様に、抜け規制部材３６の水平部３６ｃ，３６ｃを後壁２０の切欠き２１，２１に遊嵌させるようにして、ボス２２，２２上に載置し、水平部３６ｃ，３６ｃの孔に挿通させたねじ３３，３３をボス２２，２２のねじ孔に螺合させることにより、抜け規制部材３６をボス２２，２２に取り付ける。取り付けられた抜け規制部材３６の抜け規制部３６ａが電池パック３８の上端面に対接し、電池パック３８は上方への抜けが規制された状態でユニット収納部１５に収納される。
【００２８】
このように、ユニット収納部１５にＡＣ電源ユニット３０と電池パックとの両方を収納することができ、かつ容量の異なり外形寸法が異なる電池パック３５，３７，３８を収納することができるから使い勝手が向上する。
【００２９】
なお、本実施の形態においては、中容量の電池パック３７を収納するのに、右方の仕切壁２５Ｂを破断し、左方の仕切壁２５Ａと右方の側壁１８Ｂとの間に収納するようにしたが、左方の仕切壁２５Ａを破断し、右方の仕切壁２５Ｂと左方の側壁１８Ａとの間に収納するようにしてもよい。また、仕切壁２５Ａ，２５Ｂを２つ設けたが、必要に応じて１つでもよく、また３つ以上でもよい。
【図面の簡単な説明】
【００３０】
【図１】本発明に係る電子機器の全体を示す斜視図である。
【図２】本発明に係る電子機器のアッパーケースを取り外した状態を示す斜視図である。
【図３】本発明に係る電子機器のアッパーケースを取り外した状態を示す平面図である。
【図４】図３におけるIV-IV 線断面図であって、同図（ａ）は仕切壁を破断する前の状態を示し、同図（ｂ）は仕切壁を破断した後の状態を示す。
【図５】同図（ａ）は図４（ａ）におけるV（ａ）部の拡大図、同図（ｂ）は図４（ｂ）におけるV（ｂ）部の拡大図、同図（ｃ）は仕切壁を破断した後に切断残りが発生した状態を示す拡大図である。
【図６】図３におけるVI-VI 線断面図である。
【図７】本発明に係る電子機器にＡＣ電源を収納し、アッパーケースを取り外した状態を示す平面図である。
【図８】本発明に係る電子機器に小容量の電池パックを収納し、アッパーケースを取り外した状態を示す平面図である。
【図９】本発明に係る電子機器に中容量の電池パックを収納し、アッパーケースを取り外した状態を示す平面図である。
【図１０】本発明に係る電子機器に大容量の電池パックを収納し、アッパーケースを取り外した状態を示す平面図である。
【符号の説明】
【００３１】
１…電子機器、２…ロアーケース、３…アッパーケース、４…底板、１５…ユニット収納部、１７ａ…底部、１８Ａ，１８Ｂ…側壁、２２…ボス（締結手段）、２５Ａ，２５Ｂ…仕切壁、２６…溝、２９…切断残り、３０…ＡＣ電源ユニット、３３…ねじ（締結手段）、３５…少容量の電池パック、３６…抜け規制部材、３７…中容量の電池パック、３８…大容量の電池パック。
【図１】
0004655478.tif 000002
【図２】
0004655478.tif 000003
【図３】
0004655478.tif 000004
【図４】
0004655478.tif 000005
【図５】
0004655478.tif 000006
【図６】
0004655478.tif 000007
【図７】
0004655478.tif 000008
【図８】
0004655478.tif 000009
【図９】
0004655478.tif 000010
【図１０】
0004655478.tif 000011